(57)【特許請求の範囲】
【請求項１】
無線通信装置におけるフィルタ特性検出方法であって、
（１）前記無線通信装置に設けられた第１発振器から出力される第１周波数の信号と、前記無線通信装置に設けられた第２発振器から出力される第２周波数の信号を混合させることによって測定信号を生成し、
（２）前記第２周波数を変化させて、前記測定信号の周波数（以下、「測定周波数」とする）を、フィルタの設計上の通過周波数帯の下限値又は上限値から中心周波数に向かって所定周波数ずつ増加又は減少させ、
（３）測定周波数の異なる新たな測定信号が生成されるたびに、その測定信号を前記フィルタに通過させ、前記フィルタを通過した測定信号の強度を測定し、その測定信号の強度をメモリに記憶し、
（４）前記メモリに記憶されている前回測定した測定信号の強度と今回測定した測定信号の強度を比較し、前回測定した測定信号の強度よりも今回測定した測定信号の強度が減少したときに、前回測定した測定信号の強度を前記フィルタの通過特性の１つのピーク値とし、
（５）測定信号の強度が、前記ピーク値が１つの時はそのピーク値から又は前記ピーク値が複数ある時は最も高いピーク値から所定レベルだけ低下するまで、測定信号の強度測定を継続し、
（６）次に、前記測定周波数を、前記フィルタの設計上の通過周波数帯の上限値又は下限値から、前記ピーク値を測定するときとは逆方向に、前記所定周波数ずつ減少又は増加させて、測定信号の強度測定を行い、
（７）測定信号の強度が前記ピーク値から所定レベルだけ低下した値を示す測定周波数から、下限側又は上限側の帯域端周波数をそれぞれ特定し、２つの帯域端周波数の中央値を前記フィルタの中心周波数として特定する、
ことを特徴とするフィルタ特性検出方法。
【請求項２】
前記ステップ（５）において、測定信号の強度が、前記ピーク値から所定レベルだけ低下したときに、前記メモリに記憶されている測定信号の強度の中から前記ピーク値から所定レベルだけ低下した測定信号の強度を示す測定周波数のうち先に検出されたものを前記下限側又は上限側の帯域端周波数の一方の帯域端周波数とし、
前記ステップ（６）において、測定信号の強度が、前記ピーク値から所定レベルだけ低下した値に達したときに、そのときの測定周波数を他方の帯域端周波数とする、
ことを特徴とする請求項１に記載のフィルタ特性検出方法。
【請求項３】
前記測定信号の強度測定を、測定信号の強度の変化が増加する方向及び減少する方向のいずれであっても、一定の間隔で行うことを特徴とする請求項１又は請求項２に記載のフィルタ特性検出方法。
【請求項４】
第１周波数の信号を出力する第１発振器と、
第２周波数の信号を出力する第２発振器と、
前記第１周波数の信号と前記第２周波数の信号を混合して測定信号を生成する周波数混合器と、
前記測定信号を通過させるフィルタと、
前記フィルタを通過した前記測定信号の強度を測定する強度測定器と、
前記強度測定装置により測定された測定信号の強度を記憶するメモリと、
前記フィルタの特性を検出する制御回路を備えた無線通信装置であって、
前記制御回路は、
前記第２周波数を変化させて、前記測定信号の周波数（以下、「測定周波数」とする）を、前記フィルタの設計上の通過周波数帯の下限値又は上限値から中心周波数に向かって所定周波数ずつ増加又は減少させ、
前記メモリに記憶されている前回測定した測定信号の強度と今回測定した測定信号の強度を比較し、前回測定した測定信号の強度よりも今回測定した測定信号の強度が減少したときに、前回測定した測定信号の強度を前記フィルタの通過特性の１つのピーク値とし、
測定信号の強度が、前記ピーク値が１つの時はそのピーク値から又は前記ピーク値が複数ある時は最も高いピーク値から所定レベルだけ低下するまで、測定信号の強度測定を継続し、
次に、前記測定周波数を、前記フィルタの設計上の通過周波数帯の上限値又は下限値から、前記ピーク値を測定するときとは逆方向に、前記所定周波数ずつ減少又は増加させて、測定信号の強度測定を行い、
測定信号の強度が前記ピーク値から所定レベルだけ低下した値を示す測定周波数から、下限側又は上限側の帯域端周波数をそれぞれ特定し、２つの帯域端周波数の中央値を前記フィルタの中心周波数として特定する、
ことを特徴とする無線通信装置。
【発明の詳細な説明】
【技術分野】
【０００１】
本発明は、無線通信装置における、例えば、中間周波数フィルタ（以下「ＩＦフィルタ」とする）などのフィルタ特性検出方法及びその機能を備えた無線通信装置に関する。
【背景技術】
【０００２】
スーパーヘテロダイン受信装置では、アンテナを介して受信した入力信号を高周波回路で増幅し、この増幅された信号に局部発振器で発生させた所定周波数の信号を周波数混合器にて混合して中間周波信号に変換し、さらに中間周波信号を中間周波回路で増幅した後、復調回路で復調し、スピーカなどから音声を出力している。中間周波回路には、増幅回路の他に、所望する中間周波信号を通過させるためのＩＦフィルタなどが設けられている。ＩＦフィルタは、個々の部品としての個体差や温度特性の影響により、その特性（中心周波数）が変動する。そのため、周波数混合器により生成される中間周波信号がＩＦフィルタの中心を通過するように、局部発振器の発振周波数を調整（キャリブレーション）する必要がある。また、キャリブレーションを行うためには、ＩＦフィルタの特性、特に中心周波数を把握しておく必要がある。
【０００３】
特許文献１に記載された従来のフィルタの中心周波数検出方法について、図６を参照しつつ説明する。まず、フィルタの所定中心周波数ｆc、フィルタの所定帯域幅Ｂｗ、許容誤差を考慮したフィルタの帯域端より外側位置となる周波数ｆs、ステップ幅ｆp及びステップ番号Ｎ（初期値Ｎ＝０）を設定する。そして、上記初期値に基づいて、周波数が
ＢＦＯ（−）＝ｆc−Ｂｗ／２−（ｆs−ｆp・Ｎ）
となる第１周波数信号を発生させる。このＮ＝０における第１周波数ＢＦＯ（−）は、フィルタの所定帯域幅の外である。かかる第１周波数ＢＦＯ（−）の第１周波数信号をフィルタに通過させ、その出力信号の強度を検出し、それに応じた値Ｐ（−）を記憶する。
【０００４】
次に、周波数が
ＢＦＯ（＋）＝ｆc＋Ｂｗ／２−（ｆs−ｆp・Ｎ）
となる第２周波数信号を発生させる。この第２周波数ＢＦＯ（＋）は、第１周波数ＢＦＯ（−）に対して、所定帯域幅Ｂｗだけの差を有する。このＮ＝０における第２周波数ＢＦＯ（＋）は、フィルタの所定帯域幅の内にある。かかる第２周波数ＢＦＯ（＋）の第２周波数信号をフィルタに通過させ、その出力信号の強度を検出し、それに応じた値Ｐ（＋）を記憶する。
【０００５】
さらに、先に記憶した値Ｐ（−）とＰ（＋）を読み出し、Ｐ（−）とＰ（＋）との強度を比較する。Ｐ（−）＞Ｐ（＋）でなければ、Ｎを１つ増加させて、周波数がそれぞれｆｓだけ増加した次の第１周波数ＢＦＯ（−）及び第２周波数ＢＦＯ（＋）について、Ｐ（−）とＰ（＋）を検出し、比較する。このようにして、Ｎを１つずつ順次に増加させて、所定帯域幅の周波数差を有する第１周波数ＢＦＯ（−）及び第２周波数ＢＦＯ（＋）について、Ｐ（−）とＰ（＋）を検出し、比較する。
【０００６】
図６から明らかなように、はじめは、第１周波数信号の強度Ｐ（−）が第２周波数信号の強度Ｐ（＋）よりも小さく、Ｎを増加させるに従って、Ｐ（−）の値が増加し、Ｐ（−）とＰ（＋）の差が徐々に少なくなる。そして、Ｐ（−）とＰ（＋）の比較結果が反転する、すなわちＰ（−）＜Ｐ（＋）になると、そのときの第１周波数ＢＦＯ（−）と第２周波数ＢＦＯ（＋）がフィルタの所定帯域幅の上下両端の帯域端周波数より高い周波数側にずれたことがわかる。そこで、比較結果が反転するＮの１つ前の状態で第１周波数ＢＦＯ（−）と第２周波数ＢＦＯ（＋）をフィルタの所定帯域幅の上下両端の帯域端周波数に最も近い周波数として特定することができる。また、フィルタの中心周波数は、特定された上下両端の帯域端周波数の中央値、すなわち第１周波数ＢＦＯ（−）と第２周波数ＢＦＯ（＋）の中央値とする。
【先行技術文献】
【特許文献】
【０００７】
【特許文献１】特許第３６５２８２１号
【発明の概要】
【発明が解決しようとする課題】
【０００８】
ところで、実際のフィルタの特性は、図６のようななだらかな波形を示すとは限らず、特性曲線に凹凸が生じ、複数のピークを示すこともありうる。その場合、上記のように第１周波数信号の強度Ｐ（−）と第２周波数信号の強度Ｐ（＋）の比較結果が反転する１つ前の状態で第１周波数ＢＦＯ（−）と第２周波数ＢＦＯ（＋）をフィルタの所定帯域幅の上下両端の帯域端周波数に最も近い周波数として特定すると、これらは実際のフィルタの所定帯域幅の上下両端の帯域端周波数とは異なる周波数である可能性がある。
【０００９】
また、第１周波数ＢＦＯ（−）及び第２周波数ＢＦＯ（＋）を変化させつつ、第１周波数信号の強度Ｐ（−）と第２周波数信号の強度Ｐ（＋）を検出するために無線通信装置内部のシグナルメータの値を用いる場合、シグナルメータはＡＧＣ（自動ゲイン調節）回路からの出力信号で動作するので、ＡＧＣの特性（ファーストアタック・スローリリース）の影響を受ける。そのため、第１周波数信号の強度Ｐ（−）又は第２周波数信号の強度Ｐ（＋）が増加していく間は、比較的短い間隔で第１周波数ＢＦＯ（−）又は第２周波数ＢＦＯ（＋）を変化させることができる。それに対して、第１周波数信号の強度Ｐ（−）又は第２周波数信号の強度Ｐ（＋）が減少していくときは、ＡＧＣ回路の特性を考慮して、第１周波数信号の強度Ｐ（−）又は第２周波数信号の強度Ｐ（＋）の検出値を安定させるために、第１周波数ＢＦＯ（−）又は第２周波数ＢＦＯ（＋）を変化させてから信号強度を読み取るまでの間隔を長くする（遅延処理する）必要がある。上記従来の方法の場合、第１周波数ＢＦＯ（−）及び第２周波数ＢＦＯ（＋）を同じ方向（増加する方向）に変化させているが、第２周波数信号の強度Ｐ（＋）の方が先に減少し始めるので、第１周波数ＢＦＯ（−）及び第２周波数ＢＦＯ（＋）を同じタイミングで変化させると、正確なフィルタ特性が検出できなくなる。正確なフィルタ特性を検出するには、上記の遅延処理を行う必要があるが、特に、第１周波数ＢＦＯ（−）及び第２周波数ＢＦＯ（＋）を交互に変化させているので、帯域端周波数の検出に要する時間が長くなる。
【００１０】
本発明は、上記従来例の問題を解決するためになされたものであり、複数のピークを有するフィルタであっても正確にフィルタの中心周波数を検出することができ、また、フィルタを通過した信号の強度を、無線通信装置内部のシグナルメータを用いて測定する場合に、ＡＧＣの特性の影響を受けにくくして、帯域端周波数の検出に要する時間を短くすることが可能な、無線通信装置におけるフィルタ特性検出方法及びその機能を備えた無線通信装置を提供することを目的とする。
【課題を解決するための手段】
【００１１】
上記目的を達成するために、本発明の一態様に係る無線通信装置におけるフィルタ特性検出方法は、
（１）前記無線通信装置に設けられた第１発振器から出力される第１周波数の信号と、前記無線通信装置に設けられた第２発振器から出力される第２周波数の信号を混合させることによって測定信号を生成し、
（２）前記第２周波数を変化させて、前記測定信号の周波数（以下、「測定周波数」とする）を、フィルタの設計上の通過周波数帯の下限値又は上限値から中心周波数に向かって所定周波数ずつ増加又は減少させ、
（３）測定周波数の異なる新たな測定信号が生成されるたびに、その測定信号を前記フィルタに通過させ、前記フィルタを通過した測定信号の強度を測定し、その測定信号の強度をメモリに記憶し、
（４）前記メモリに記憶されている前回測定した測定信号の強度と今回測定した測定信号の強度を比較し、前回測定した測定信号の強度よりも今回測定した測定信号の強度が減少したときに、前回測定した測定信号の強度を前記フィルタの通過特性の１つのピーク値とし、
（５）測定信号の強度が、前記ピーク値が１つの時はそのピーク値から又は前記ピーク値が複数ある時は最も高いピーク値から所定レベルだけ低下するまで、測定信号の強度測定を継続し、
（６）次に、前記測定周波数を、前記フィルタの設計上の通過周波数帯の上限値又は下限値から、前記ピーク値を測定するときとは逆方向に、前記所定周波数ずつ減少又は増加させて、測定信号の強度測定を行い、
（７）測定信号の強度が前記ピーク値から所定レベルだけ低下した値を示す測定周波数から、下限側又は上限側の帯域端周波数をそれぞれ特定し、２つの帯域端周波数の中央値を前記フィルタの中心周波数として特定する、
ことを特徴とする。
【００１２】
前記ステップ（５）において、測定信号の強度が、前記ピーク値から所定レベルだけ低下したときに、前記メモリに記憶されている測定信号の強度の中から前記ピーク値から所定レベルだけ低下した測定信号の強度を示す測定周波数のうち先に検出されたものを前記下限側又は上限側の帯域端周波数の一方の帯域端周波数とし、
前記ステップ（６）において、測定信号の強度が、前記ピーク値から所定レベルだけ低下した値に達したときに、そのときの測定周波数を他方の帯域端周波数とする、
ようにしてもよい。
【００１３】
前記測定信号の強度測定を、測定信号の強度の変化が増加する方向及び減少する方向のいずれであっても、一定の間隔で行うようにしてもよい。
【００１４】
また、本発明の他の一態様に係る無線通信装置は、
第１周波数の信号を出力する第１発振器と、
第２周波数の信号を出力する第２発振器と、
前記第１周波数の信号と前記第２周波数の信号を混合して測定信号を生成する周波数混合器と、
前記測定信号を通過させるフィルタと、
前記フィルタを通過した前記測定信号の強度を測定する強度測定器と、
前記強度測定装置により測定された測定信号の強度を記憶するメモリと、
前記フィルタの特性を検出する制御回路を備え、
前記制御回路は、
前記第２周波数を変化させて、前記前記測定信号の周波数（以下、「測定周波数」とする）を、前記フィルタの設計上の通過周波数帯の下限値又は上限値から中心周波数に向かって所定周波数ずつ増加又は減少させ、
前記メモリに記憶されている前回測定した測定信号の強度と今回測定した測定信号の強度を比較し、前回測定した測定信号の強度よりも今回測定した測定信号の強度が減少したときに、前回測定した測定信号の強度を前記フィルタの通過特性の１つのピーク値とし、
測定信号の強度が、前記ピーク値が１つの時はそのピーク値から又は前記ピーク値が複数ある時は最も高いピーク値から所定レベルだけ低下するまで、測定信号の強度測定を継続し、
次に、前記測定周波数を、前記フィルタの設計上の通過周波数帯の上限値又は下限値から、前記ピーク値を測定するときとは逆方向に、前記所定周波数ずつ減少又は増加させて、測定信号の強度測定を行い、
測定信号の強度が前記ピーク値から所定レベルだけ低下した値を示す測定周波数から、下限側又は上限側の帯域端周波数をそれぞれ特定し、２つの帯域端周波数の中央値を前記フィルタの中心周波数として特定する、
ことを特徴とする。
【発明の効果】
【００１５】
このような構成によれば、フィルタの中心周波数を検出する際、第２周波数の信号の周波数を変化させて、測定周波数をフィルタの設計上の通過周波数帯の下限値又は上限値から中心周波数に向かって所定周波数ずつ増加又は減少させ、メモリに記憶されている前回測定した測定信号の強度と今回測定した測定信号の強度を比較し、前回測定した測定信号の強度よりも今回測定した測定信号の強度が減少したときに、前回測定した測定信号の強度をフィルタの通過特性の１つのピーク値として検出することができる。その際、ピーク値の検出時を除いて、測定信号の強度は連続的に増加する方向に変化しているので、比較的短い間隔で測定信号の生成及び測定信号の強度測定を行っても、正確なフィルタ特性を検出することができる。また、最初にピーク値を検出した後も測定周波数を同じ方向に増加又は減少させて、測定信号の強度測定を継続することにより、フィルタの特性曲線に凹凸が生じ、ピーク値が複数ある場合でも、最も高い値を示す真のピーク値を見逃してしまう可能性が低減される。さらに、測定信号の強度値が減少する方向に変化しているときは、ＡＧＣ回路の特性によって測定信号の強度値が正確でない可能性があるが、フィルタの通過周波数帯のうち未測定の周波数帯域について、測定周波数を逆方向に所定周波数ずつ減少又は増加させて測定信号の強度測定を行うことにより、下限側の帯域端周波数と上限側の帯域端周波数の２つの帯域端周波数をいずれも測定信号の強度値が増加する方向で検出することができ、帯域端周波数及び中心周波数を正確に特定することができる。
【図面の簡単な説明】
【００１６】
【図１】本発明の一実施形態に係る無線通信装置のブロック構成を示す図。
【図２】本発明の一実施形態に係る線通信装置におけるフィルタ特性検出方法の概念及びフィルタの週端数通過特性を示す波形図。
【図３】上記フィルタ特性検出方法を示すフローチャート。
【図４】図３のフローチャートの続き。
【図５】図４のフローチャートの続き。
【図６】従来の無線通信装置におけるフィルタ特性検出方法を示す図。
【発明を実施するための形態】
【００１７】
本発明の一実施形態に係る線通信装置におけるフィルタ特性検出方法及びその機能を備えた無線通信装置について説明する。図１は、本実施形態に係る線通信装置の一例としてＳＳＢ受信装置の構成を示す。無線通信装置１は、アンテナ２を介して受信した高周波信号（以下、「受信信号」とする）の増幅などを行う高周波回路３と、増幅された受信信号に第１局部発振器１２で発生された周波数ｆＬの第１局発信号を混合して第１中間周波数ｆＲの信号（以下、「第１ＩＦ信号」とする）を発生させる第１周波数混合器４と、第１周波数混合器４から出力される第１ＩＦ信号の増幅などを行う第１中間周波回路５と、第１中間周波回路５から出力される増幅された第１ＩＦ信号に第２局部発振器１３で発生された周波数ｆＬ２の第２局発信号を混合して第２中間周波数ｆＲ２の信号（以下、「第２ＩＦ信号」とする）を発生させる第２周波数混合器６と、第２周波数混合器６から出力される第２ＩＦ信号の増幅などを行う第２中間周波回路７と、第２中間周波回路７から出力される増幅された第２ＩＦ信号を復調して可聴音信号を出力する復調回路８と、可聴音信号を増幅する低周波増幅器９と、増幅された可聴音信号を出力するスピーカ１０などを備えている。
【００１８】
高周波回路３は、高周波増幅器３１と、高周波増幅器３１に入力する信号を切り替える入力選択スイッチ３２などを備えており、入力選択スイッチ３２は、高周波増幅器３１に入力する信号のソースを、アンテナ２とマーカ発振器１１のいずれかに切り替えることが可能である。マーカ発振器１１、第１局部発振器１２及び第２局部発振器１３には、それぞれ基準信号発生器１４が接続されており、基準信号に基づいて、マーカ発振器１１は第１周波数ｆＩの信号（以下の説明では「擬似入力信号」とする）を、第１局部発振器１２は第２周波数ｆＬの第１局発信号を、第２局部発振器１３は第３周波数ｆＬ２の第２局発信号を、それぞれ生成し出力する。第１中間周波回路５は、所望する第１ＩＦ信号を通過させるためのＩＦフィルタ５１及びＩＦフィルタ５１を通過した第１ＩＦ信号を増幅するための中間周波増幅器５２などを備えている。第２中間周波回路７にはＩＦフィルタはなく、それ以外の増幅器などを有している（詳細な説明は省略する）。第１局部発振器１２、第２局部発振器１３及び復調回路８には、ＩＦフィルタ５１の中心周波数を検出し、その中心周波数に基づいて第１局部発振器１２の発振周波数を調整するためのキャリブレーション機能を備えた制御回路１５が接続されている。制御回路１５は、例えばＣＰＵ及びメモリなどで構成されたマイクロコンピュータであり、この無線通信装置１の全体を制御する。復調回路８は、例えばディジタル・シグナル・プロセッサ（ＤＳＰ）であり、キャリブレーション時には、復調回路８から出力されるシグナルメータの値を用いて、ＩＦフィルタ５１を通過した信号の強度を検出し、信号強度の値を制御回路１５に出力する。
【００１９】
ユーザによって、操作パネル上のアイコン又は物理スイッチなどが操作され、第１局部発振器１２の発振周波数のキャリブレーションが選択されると、入力選択スイッチ３２がマーカ発振器１１側に切り替えられ、マーカ発振器１１から第１周波数ｆＩの擬似入力信号が高周波増幅器３１に入力される。キャリブレーション中、この擬似入力信号の第１周波数ｆＩ及び第２局部発振器１３の第２局発信号の第３周波数ｆＬ２の値は固定されている。同時に、第１局部発振器１２から第２周波数ｆＬの第１局発信号が出力され、第１周波数混合器４によって擬似入力信号と混合される。キャリブレーション中、この第１局発信号の第２周波数ｆＬの値は、所定周波数ピッチで増加又は減少される。第１周波数混合器４によって生成される第１ＩＦ信号（以下、「測定信号」とする）の周波数（以下、「測定周波数」とする）ｆＲは、ｆＲ＝ｆＬ−ｆＩで表される。第１局部発振器１２からの第２周波数ｆＬの値を変化させることによって、ＩＦフィルタ５１を通過する測定信号の測定周波数ｆＲが変化する。
【００２０】
制御回路１５は、第１局部発振器１２から出力される第１局発信号の第２周波数ｆＬの値を、例えば１０Ｈｚずつ変化させながら、復調回路８から出力される測定信号の強度の値をモニタし、メモリに記憶する。そして、測定信号の強度のピーク値から所定レベル（例えば−３ｄＢ）だけ低下した値を示す測定周波数を、ＩＦフィルタ５１の上限側の帯域端周波数ｆＨＥ及び下限側の帯域端周波数ｆＬＥとして決定し、上限側の帯域端周波数ｆＨＥと下限側の帯域端周波数ｆＬＥの中央値をＩＦフィルタ５１の中心周波数ｆＣＮとして決定する。
【００２１】
図２は、無線通信装置１におけるＩＦフィルタ５１の特性を示す波形図、図３〜図５は本実施形態に係るＩＦフィルタの中心周波数検出方法を示すフローチャートである。図２において、周波数ｆＤは、ＩＦフィルタ５１の設計上の中心周波数であり、太線で示す特性曲線ＣＣは、ＩＦフィルタ５１の周波数通過特性を示す。制御回路１５は、ＩＦフィルタ５１を通過する信号の周波数の範囲、すなわち測定範囲として、設計上の中心周波数ｆＤに対して所定の通過周波数帯（例えば、±１７００Ｈｚ）をスキャンし、復調回路８から出力される各測定信号の強度の値ＳＡＸのデータを使用する。
【００２２】
ユーザによって、第１局部発振器１２から出力される第１局発信号の発振周波数のキャリブレーションが選択されると、制御回路１５は、入力選択スイッチ３２をマーカ発振器１１側に切り換え、マーカ発振器１１をオンする（＃１）と共に、初期値を設定する（＃２）。初期値としては、中心周波数ｆＤに対するシフト量Δ＝−１７００Ｈｚ（通過周波数帯の下限値）、信号強度の最大値ＳＡＭＡＸ＝０を設定する。次に、制御回路１５は、第１局部発振器１２から出力される第１局発信号の第２周波数ｆＬの低い方の初期値として、ｆＬ＝ｆＩ＋ｆＤ＋Δを演算する（＃３：ｆＲ＝ｆＬ−ｆＩ、ｆＲ＝ｆＤ＋Δなので、ｆＬ＝ｆＩ＋ｆＲ＝ｆＩ＋ｆＤ＋Δとなる）。次に、制御回路１５は、シフト量Δ＝−１７００Ｈｚか否かを判断する（＃４）。最初は、シフト量Δ＝−１７００Ｈｚであるので（＃４でＹＥＳ）、マーカ発振器１１や第１局部発振器１２など、無線通信装置１の各部に性能が安定するのを待つため、例えば３００ｍｓｅｃ測定を待機する（＃５）。そして、制御回路１５は、復調回路８からのシグナルメータ出力である信号強度の値ＳＡＸを読み込み（＃７）、読み込んだ信号強度の値ＳＡＸを測定周波数ｆＲ（＝ｆＤ＋Δ）の値又はシフト量Δの値と関連づけて、メモリに記憶させる（＃８）。
【００２３】
次に、制御回路１５は、ＳＡＭＡＸ＜ＳＡＸか否かを判断する（＃９）。ＳＡＭＡＸの初期値は０であるので、ＳＡＸの値が僅かでもあれば、ＳＡＸの値をＳＡＭＡＸに置き替える（＃１０）。そして、制御回路１５は、ＳＡＭＡＸ＞ＳＡＸ＋３ｄＢか否かを判断する（＃１１）。この段階では、ＳＡＭＡＸ＝ＳＡＸであるので、シフト量Δを１０Ｈｚ増加させ（＃１２）、さらにシフト量Δ＞＋１７００Ｈｚ（通過周波数帯の上限値）か否かを判断する（＃１３）。ステップ＃９でＳＡＭＡＸ＜ＳＡＸか否かを判断し、続けてステップ＃１１でＳＡＭＡＸ＞ＳＡＸ＋３ｄＢか否かを判断するのは、実際のフィルタの特性曲線に凹凸が生じ、複数のピークを示すことを想定し、最初にピークが現れてからも、一定の範囲でＳＡＸの検出を継続することで、真のピーク値を特定するためである。さらに、シフト量Δ＞＋１７００Ｈｚか否かを判断するのは、誤動作を検出するためである。
【００２４】
シフト量Δ＝−１７００Ｈｚについて正常に測定信号の強度の値ＳＡＸが検出されると、ステップ＃３に戻って、同様の手順で、シフト量Δ＝−１６９０Ｈｚについて新たな測定信号の強度の値ＳＡＸを検出する。２回目からは、無線通信装置１の各部の性能が安定しているので、シグナルメータの反応時間分、例えば１０ｍｓｅｃだけ測定を待機する（＃６）。そして、ステップ＃１１でＳＡＭＡＸ＞ＳＡＸ＋３ｄＢになるまで、このルーチンを繰り返す。図２に示すＩＦフィルタの特性曲線はピークが１つだけであり、測定信号の強度のピーク値を示すピーク周波数ｆＰＶまでは、信号強度の値ＳＡＸは連続して増加している。そこで、メモリに記憶されている前回測定した測定信号の強度と今回測定した測定信号の強度を比較し、前回測定した測定信号の強度よりも今回測定した測定信号の強度が減少したときに、前回測定した測定信号の強度をＩＦフィルタ５１の通過特性の１つのピーク値と判定することができる。ピーク周波数ｆＰＶよりも高くなると、測定信号の強度の値ＳＡＸが減少に転じ（＃９でＮＯ）、さらに測定周波数ｆＨＥにおいて測定信号の強度の値ＳＡＸが、ピーク周波数ｆＰＶで得られた測定信号の強度のピーク値ＳＡＭＡＸよりも３ｄＢ以上小さくなる（＃１１でＹＥＳ）。そこで、制御回路１５は、一旦シフト量Δの増加及び測定信号の強度の値ＳＡＸの検出を中断し、メモリに記憶されている測定信号の強度の値ＳＡＸの中から、ピーク値ＳＡＭＡＸよりもほぼ３ｄＢ低下した強度を示す測定周波数のうち時間的に先に検出されたもの、すなわち、ピーク周波数ｆＰＶよりも下限側の帯域端周波数ｆＬＥを探し出す（＃１４）。
【００２５】
図２に示すＩＦフィルタの特性曲線では、この段階で上限側の帯域端周波数ｆＨＥと下限側の帯域端周波数ｆＬＥが特定可能であるが、ピークを示す測定周波数ｆＰＶから上限側の帯域端周波数ｆＨＥまでの間、測定信号の強度は減少を示している。ＡＧＣ回路の特性により、測定信号の強度が減少する方向では、シフト量Δを変更してから測定信号の強度測定を行うまでの間隔（待機時間）を長くとらなければ、正確なシグナルメータ出力が得られない。本実施形態では、測定信号の強度測定の間隔を一定に維持しつつ、正確なシグナルメータ出力を得るために、反対側からも測定信号の強度のピーク値ＳＡＭＡＸよりもほぼ３ｄＢ小さい上限側の帯域端周波数ｆＨＥを探す。制御回路１５は、シフト量Δ＝＋１７００Ｈｚを設定し（＃１５）、第１局部発振器１２から出力される局発信号の第２周波数ｆＬの高い方の初期値として、ｆＬ＝ｆＩ＋ｆＤ＋Δを演算する（＃１６）。次に、制御回路１５は、シフト量Δ＝＋１７００Ｈｚか否かを判断する（＃１７）。最初は、シフト量Δ＝＋１７００Ｈｚであるので（＃１７でＹＥＳ）、マーカ発振器１１や第１局部発振器１２など、無線通信装置１の各部に性能が安定するのを待つため、例えば３００ｍｓｅｃ測定を待機する（＃１８）。そして、制御回路１５は、例えば３００ｍｓｅｃ待機した後（＃１８）、復調回路８からの出力である測定信号の強度の値ＳＡＸを読み込み（＃２０）、ＳＡＸ＞ＳＡＭＡＸ−３ｄＢか否かを判断する（＃２１）。この段階では、ＳＡＸ＜ＳＡＭＡＸ−３ｄＢであるので、シフト量Δを１０Ｈｚ減少させ（＃２２）、さらにシフト量Δ＜−１７００Ｈｚか否か、すなわちエラーが発生していないかどうかを判断する（＃２３）。なお、この逆方向からの測定信号の強度の測定に関しては、既に真のピーク値ＳＡＭＡＸがわかっているので、読み込んだ信号強度の値ＳＡＸはメモリに記憶させなくてもよい。
【００２６】
シフト量Δ＝＋１７００Ｈｚについて正常に測定信号の強度の値ＳＡＸが検出されると、ステップ＃１６に戻って、同様の手順で、シフト量Δ＝＋１６９０Ｈｚについて測定信号の強度の値ＳＡＸを検出する。２回目からは、無線通信装置１の各部の性能が安定しているので、シグナルメータの反応時間分、例えば１０ｍｓｅｃだけ測定を待機する（＃１９）。そして、ステップ＃１９でＳＡＸ＞ＳＡＭＡＸ−３ｄＢになるまで、このルーチンを繰り返す。ＳＡＸ＞ＳＡＭＡＸ−３ｄＢに達すると（＃２１でＹＥＳ）、ＳＡＸ≒ＳＡＭＡＸ−３ｄＢとなる上限側の帯域端周波数ｆＨＥを特定する（＃２４）。そして、制御回路１５は、上限側の帯域端周波数ｆＨＥと下限側の帯域端周波数ｆＬＥの中央値を、このＩＦフィルタ５１の中心周波数ｆＤとして求め（＃２３）、フィルタの中心周波数検出フローを終了する。
【００２７】
また、ＩＦフィルタ５１の上限側の帯域端周波数ｆＨＥ及び下限側の帯域端周波数ｆＬＥの中央値を中心周波数ｆＣＮとして決定すると、制御回路１５は、実際のアンテナ２からの信号の受信時には、第２ＩＦ信号の周波数＝ｆＣＮとなるように、第１局部発振器１２から出力される第１局発信号の第２周波数ｆＬを補正すると共に、第２局部発振器１３から出力される第２局発信号の第３周波数ｆＬ２も補正する。例えば、図１に示す無線通信装置１では、局部発振器、周波数混合器及び中間周波回路を２組有しており、周波数変換を２回行う。ここで、マーカ発振器１１から出力される擬似入力信号の第１周波数ｆＩを１０ＭＨｚ、第１ＩＦ信号の第１中間周波数ｆＲを６４．５５５ＭＨｚ、第２ＩＦ信号の第２中間周波数ｆＲ２を３６ｋＨｚとすると、第１局部発振器１２から出力される第１局発信号の第２周波数ｆＬは７４．５５５ＭＨｚ、第２局部発振器１３から出力される第２局発信号の第３周波数ｆＬ２は６４．４９１ＭＨｚとなる。第１中間周波回路５のＩＦフィルタ５１中心周波数が設計上の中心周波数とδＨｚだけずれていることが検出されると、制御装置１２は、第１局部発振器１２の第１局発信号の第２周波数ｆＬを７４．５５５ＭＨｚ＋δＨｚに補正する。また、そのままでは復調回路８に入力される第２ＩＦ信号の周波数ｆＲ２が３６ｋＨｚ＋δＨｚに変化してしまうため、制御装置１２は、第２局部発振器１３の第２局発信号の第３周波数ｆＬ２を６４．４９１ＭＨｚ＋δＨｚに補正する。それによって、復調回路８に入力される第２ＩＦ信号の周波数ｆＲ２が３６ｋＨｚに維持される。
【００２８】
このように、本実施形態に係る無線通信装置におけるフィルタ特性検出方法によれば、
（１）無線通信装置１に設けられたマーカ発振器（第１発振器）１１から出力される第１周波数ｆＩの擬似入力信号と、局部発振器（第２発振器）１２から出力される第２周波数ｆＬの局発信号を混合させることによって測定信号を生成し、
（２）第２周波数ｆＬを変化させて、測定周波数ｆＲを、ＩＦフィルタ５１の設計上の通過周波数帯の下限値（例えば、−１７００Ｈｚ）又は上限値（例えば、＋１７００Ｈｚ）から中心周波数ｆＤに向かって所定周波数（例えば、１０Ｈｚ）ずつ増加又は減少させ、
（３）測定周波数の異なる新たな測定信号が生成されるたびに、その測定信号をＩＦフィルタ５１に通過させ、ＩＦフィルタ５１を通過した測定信号の強度を測定し、その測定信号の強度をメモリに記憶し、
（４）メモリに記憶されている前回測定した測定信号の強度と今回測定した測定信号の強度を比較し、前回測定した測定信号の強度よりも今回測定した測定信号の強度が減少したときに、前回測定した測定信号の強度を前記フィルタの通過特性の１つのピーク値とし、
（５）測定信号の強度が、ピーク値が１つの時はそのピーク値から又はピーク値が複数ある時は最も高いピーク値から所定レベルだけ低下するまで、測定信号の強度測定を継続し、
（６）次に、測定周波数を、ＩＦフィルタ５１の設計上の通過周波数帯の上限値又は下限値から、前記ピーク値を測定するときとは逆方向に、前記所定周波数ずつ減少又は増加させて、測定信号の強度測定を行い、
（７）測定信号の強度がピーク値から所定レベル（例えば、−３ｄＢ）だけ低下した値を示す測定周波数を下限側の帯域端周波数ｆＬＥ及び上限側の帯域端周波数ｆＨＥとしてそれぞれ特定し、２つの帯域端周波数の中央値をＩＦフィルタ５１の中心周波数ｆＣＮとして特定している。
【００２９】
そのため、ピーク値の検出時を除いて、測定信号の強度は連続的に増加する方向に変化しているので、比較的短い間隔で測定信号の生成及び測定信号の強度測定を行っても、復調回路８のＡＧＣ回路の特性の影響を受けにくい。また、最初にピーク値を検出した後も測定周波数を同じ方向に増加又は減少させて、測定信号の強度測定を継続することにより、フィルタの特性曲線に凹凸が生じ、ピーク値が複数ある場合でも、最も高い値を示す真のピーク値を見逃してしまう可能性が低減される。さらに、測定信号の強度値が減少する方向に変化しているときは、ＡＧＣ回路の特性によって測定信号の強度値が正確でない可能性があるが、ＩＦフィルタ５１の通過周波数帯のうち未測定の周波数帯域について、測定周波数を逆方向に所定周波数ずつ減少又は増加させて測定信号の強度測定を行うことにより、下限側の帯域端周波数及び上限側の帯域端周波数の２つの帯域端周波数をいずれも測定信号の強度値が増加する方向で検出することができ、帯域端周波数及び中心周波数を正確に特定することができる。
【００３０】
なお、上記実施形態では、最初に測定周波数ｆＲを、通過周波数帯の下限側から所定周波数（１０Ｈｚ）ずつ増加させ、その後通過周波数帯の上限側から逆方向に所定周波数ずつ減少させるように変化させたが、順番はこれに限定されず、この逆であってもよい。また、上記実施形態の説明において用いた数値は例示であって、これらの値に限定されるものではない。
【００３１】
また、無線通信装置の種類は特に限定されず、受信周波数と送信周波数が異なる、いわゆるスプリット運用が可能なものであってもよいし、一方の周波数で送受信を行いながら、他方の周波数で受信のみを行う、２波同時受信が可能なものであってもよい。それらの場合、それぞれの送信器、受信器又は送受信機について、上記局部発振器のキャリブレーション又はフィルタ特性検出を行うことができる。また、特性検出を行うフィルタはＩＦフィルタに限定されず、本発明をその他のフィルタの特性検出に応用できることはいうまでもない。
【符号の説明】
【００３２】
１  無線通信装置
２  アンテナ
３  高周波回路
３１  高周波増幅器
３２  入力選択スイッチ
４  第１周波数混合器
５  第１中間周波回路
５１  ＩＦフィルタ
５２  中間周波増幅器
６  第２周波数混合器
７  第２中間周波回路
８  復調回路（ＤＳＰ）
１１  マーカ発振器（第１発振器）
１２  第１局部発振器（第２発振器）
１３  第２局部発振器
１４  基準信号発生器
１５  制御回路
ｆＣＮ  フィルタの中心周波数
ｆＤ  フィルタの設計上の中心周波数
ｆＰＶ  ピーク周波数
ｆＲ  測定周波数又は第１中間周波数
ｆＲ２  第２中間周波数
ｆＨＥ  上限側の帯域端周波数
ｆＬＥ  下限側の帯域端周波数
ｆＩ  第１周波数
ｆＬ  第２周波数
ＳＡＭＡＸ  真のピーク値
ＳＡＸ  測定信号の強度の値
【図１】
0006394369.tif 000002
【図２】
0006394369.tif 000003
【図３】
0006394369.tif 000004
【図４】
0006394369.tif 000005
【図５】
0006394369.tif 000006
【図６】
0006394369.tif 000007